(57)【特許請求の範囲】
【請求項１】
サーマルヘッドによるサーマル印字で基材上に形成され、特定の波長の光で読み取る２次元コードと、
前記２次元コードの上に形成され、前記特定の波長の光を吸収しない色材からなる隠蔽ベタ印刷層と、を備えるとともに、
前記基材に対して前記２次元コードをサーマルヘッドでサーマル印字したときの該サーマルヘッドの熱擦過の影響によって前記２次元コードのシンボル形状が前記隠蔽ベタ印刷層上から目視で視認可能となる状態を回避する手段として、前記隠蔽ベタ印刷層の上に第１および第２のカモフラージュ印刷層を備え、
前記第１のカモフラージュ印刷層は、前記特定の波長の光を吸収しない色材で印刷され、
前記第２のカモフラージュ印刷層は、前記第１のカモフラージュ印刷層の上に形成され、かつ透明マット系色材で印刷されていること
を特徴とする２次元コード付き帳票。
【請求項２】
前記２次元コードは、
赤外発色サーマル紙の発光層に形成され、
前記特定の波長の光は、
赤外色であり、
前記特定の波長の光を吸収しない色材は、
混色黒インキであることを特徴とする請求項１記載の２次元コード付き帳票。
【請求項３】
前記第１のカモフラージュ印刷層は、
ランダムな形状の配列、所定形状の繰り返し配列、前記２次元コードとは異なる内容の２次元コードの配列から選択された１つの配列の印刷を含み、
前記第２のカモフラージュ印刷層は、
前記第１のカモフラージュ印刷層の印刷のそれぞれの間隙を埋める印刷からなることを特徴とする請求項１または２に記載の２次元バーコード付き帳票。
【請求項４】
前記第１のカモフラージュ印刷層は、
ランダムな形状の配列、所定形状の繰り返し配列、前記２次元コードとは異なる内容の２次元コードの配列から選択された１つの配列の印刷を含み、
前記第２のカモフラージュ印刷層は、
前記第１のカモフラージュ印刷層の上に形成され、ランダムな形状の配列、所定形状の繰り返し配列、前記２次元コードとは異なる内容の２次元コードの配列から選択された１つの配列の印刷を含むことを特徴とする請求項１または２に記載の２次元コード付き帳票。
【請求項５】
前記第２のカモフラージュ印刷層は、
前記第１のカモフラージュ印刷層を覆うとともに、前記基材の全面を覆うように形成されることを特徴とする請求項１乃至４のいずれか１項に記載の２次元コード付き帳票。
【請求項６】
前記２次元コードが形成される前記基材の裏面に形成され、遮光性インキからなる透過防止層
を更に具備する請求項１乃至５のいずれか１項に記載の２次元コード付き帳票。
【発明の詳細な説明】
【技術分野】
【０００１】
本発明は、コピー機による２次元コードの複製を防ぐとともに、帳票からの２次元コードの読み取り性能が劣化することのない２次元コード付き帳票に関する。
【背景技術】
【０００２】
２次元コード付き帳票としては、ＱＲコード（登録商標、以下同じ。）が付された帳票が広く知られている。このＱＲコードが付された帳票は、ＱＲコードのシンボルを、紙やラベル等からなる基材の上に、トナー印字、サーマル印字、墨インキや色インキによる印刷等の方法により形成されている（例えば、下記の特許文献１を参照。）。
【０００３】
また、上記帳票に付されたＱＲコードを読み取る方法としては、ＣＣＤカメラで画像を撮影し、そのコントラスト値（背景セルと色セルとの差異）を取得して読み取る方法がある。
【先行技術文献】
【特許文献】
【０００４】
【特許文献１】特開２００１−３０７１５４号公報
【発明の概要】
【発明が解決しようとする課題】
【０００５】
ところが、上記ＱＲコードが付された帳票をコピー機で複写すると、複写後の帳票のＱＲコードは、上記方法によりそのデータが読み取れてしまう。このため、コピー機を利用すれば、正規のＱＲコードが付された帳票と同じものを簡単に複製することができるという問題があった。
【０００６】
そこで、本発明はこのような問題を解決するためになされたものであり、その目的とするところは、コピー機を利用した２次元コードが付された帳票の複製を防止するとともに、帳票からの２次元コードの読み取り性能を向上させた２次元コード付き帳票を提供することにある。
【課題を解決するための手段】
【０００７】
上記の目的を達成するため、本発明に係る２次元コード付き帳票は、サーマルヘッドによるサーマル印字で基材上に形成され、特定の波長の光で読み取る２次元コードと、前記２次元コードの上に形成され、前記特定の波長の光を吸収しない色材からなる隠蔽ベタ印刷層と、を備えるとともに、前記基材に対して前記２次元コードをサーマルヘッドでサーマル印字したときの該サーマルヘッドの熱擦過の影響によって前記２次元コードのシンボル形状が前記隠蔽ベタ印刷層上から目視で視認可能となる状態を回避する手段として、前記隠蔽ベタ印刷層の上に第１および第２のカモフラージュ印刷層を備え、前記第１のカモフラージュ印刷層は、前記特定の波長の光を吸収しない色材で印刷され、前記第２のカモフラージュ印刷層は、前記第１のカモフラージュ印刷層の上に形成され、かつ透明マット系色材で印刷されていることを特徴とする。
【０００８】
ここで、基材は、使用するプリンタに合わせて、例えば上質紙、再生紙、サーマル紙、熱転写用コート紙、ラベルなどの紙類や、ポリエステルフィルム、ポリプロピレンフィルムなどの樹脂フィルムを使用することができる。また、２次元コードを印刷するプリンタについては、例えばインクジェットプリンタ、レーザープリンタ、サーマルプリンタ、熱転写プリンタ等、各種印字方式のプリンタを使用することができる。
【０００９】
上記の構成からなる２次元コード付き帳票において、前記２次元コードは、赤外発色サーマル紙の発光層に形成され、前記特定の波長の光は、赤外色であり、前記特定の波長の光を吸収しない色材は、混色黒インキで構成することができる。
【００１０】
また、上記の構成からなる２次元コード付き帳票において、前記第１のカモフラージュ印刷層は、ランダムな形状の配列、所定形状の繰り返し配列、前記２次元コードとは異なる内容の２次元コードの配列から選択された１つの配列の印刷を含み、前記第２のカモフラージュ印刷層は、前記第１のカモフラージュ印刷層の印刷のそれぞれの間隙を埋める印刷からなる構成を採用することができる。
【００１１】
また、上記の構成からなる２次元コード付き帳票において、前記第１のカモフラージュ印刷層は、ランダムな形状の配列、所定形状の繰り返し配列、前記２次元コードとは異なる内容の２次元コードの配列から選択された１つの配列の印刷を含み、前記第２のカモフラージュ印刷層は、前記第１のカモフラージュ印刷層の上に形成され、ランダムな形状の配列、所定形状の繰り返し配列、前記２次元コードとは異なる内容の２次元コードの配列の印刷から選択された１つの配列を含む構成を採用することができる。
【００１２】
また、上記の構成からなる２次元コード付き帳票において、前記第２のカモフラージュ印刷層は、前記第１のカモフラージュ印刷層を覆うとともに、前記基材の全面を覆うように形成することができる。
【００１３】
また、上記の構成からなる２次元コード付き帳票において、前記２次元コードが形成される前記基材の裏面に形成され、遮光性インキからなる透過防止層を更に具備する構成を採用することができる。
【発明の効果】
【００１４】
本発明に係る２次元コード付き帳票によれば、以下のような効果を奏する。  
１）隠蔽ベタ印刷層の存在により、この帳票をコピー機で複写しても、２次元バーコードを再現することはできず、また、リーダによる２次元コードの読み取り性能を向上させることができる。  
２）第１のカモフラージュ印刷層および第２のカモフラージュ印刷層の存在により、目視で帳票上の２次元コードを認識することができなくなるので、この２次元コード付き帳票の複製は困難になる。  
３）隠蔽ベタ印刷層および第１のカモフラージュ印刷層は、２次元コードを読み取る特定の波長の光を吸収しない色材で印刷され、また、第２のカモフラージュ印刷層は、透明マット系色材で印刷されるので、隠蔽ベタ印刷層、上記第１および第２のカモフラージュ印刷層が存在しても、帳票からの２次元コードの読み取り性能は劣化しない。
【図面の簡単な説明】
【００１５】
【図１】図１は、本発明に係る２次元コード付き帳票の実施例１を示す平面図である。
【図２】図２は、図１に示した実施例１の２次元コード付き帳票のＡ−Ａ断面図である。
【図３】図３は、図１に示した実施例１の２次元コード付き帳票の変形例を示す断面図である。
【図４】図４は、図１に示した実施例１の２次元コード付き帳票の他の変形例を示す断面図である。
【図５】図５は、本発明に係る２次元コード付き帳票の実施例２を示す平面図である。
【図６】図６は、図５に示した実施例２の２次元コード付き帳票のＢ−Ｂ断面図である。
【図７】図７は、図５に示した実施例２の２次元コード付き帳票の変形例を示す断面図である。
【発明を実施するための形態】
【００１６】
以下、本発明を実施するための実施例について、願書に添付した図面を参照しながら詳細に説明する。
【実施例１】
【００１７】
図１〜４に本発明に係る２次元コード付き帳票の実施例１を示す。図１および図２に示すように、実施例１の２次元コード付き帳票１０は、基材であるサーマル紙１１の印字面の２次元コード印字欄１２に印字する２次元コード１３の上に、この２次元コード１３を隠蔽する隠蔽ベタ印刷層１４を設け、更に、この隠蔽ベタ印刷層１４の上に、２次元コード１３の視覚的認識を困難にする第１のカモフラージュ印刷層１５および第２のカモフラージュ印刷層１６を設け、コピー機による２次元コード１３の複製を防止するとともに、目視による２次元コード１３の認識を困難にする機能を持たせ、更に、２次元コード１３の読み取り性能の劣化も防止するようにしたものである。
【００１８】
さて、本実施例では、２次元コードをサーマルプリンタで印字できるように、赤外発色するサーマル紙１１を使用している。すなわち、図２に示すように、このサーマル紙１１は、用紙１１ａの上にサーマル層１１ｂを積層一体化したものである。サーマル層１１ｂは、赤外発色するロイコ染料（電子供与体）と酸性物質（電子受容体）を樹脂バインダ中に固体微粒子として分散させ、これを用紙１１ａの上に均一に塗布することにより構成されている。そして、このサーマル層１１ｂをサーマルヘッドで加熱すると、ロイコ染料と酸性物質の両成分が互いに反応して赤外発色し、特定波長域光を吸収する特性を有するようになっている。
【００１９】
サーマル紙１１の中央には２次元コード印字欄１２が設けられており、この２次元コード印字欄１２には、所定の情報を光学読取装置で読み取るための２次元コード１３が印字される。本実施例では、２次元コード１３の一例としてモデル１のＱＲコードを採用し、このＱＲコードのシンボルのうちファインダパターン、タイミングパターン及びデータセルが、サーマル層１１ｂを加熱することでサーマル印字される。ＱＲコードのデータセルには、各種のデータがコード変換されて記録される。
【００２０】
２次元コード印字欄１２には、印字される２次元コード１３を外部から視認できないように隠蔽するために、隠蔽ベタ印刷層１４が設けられている。隠蔽ベタ印刷層１４は、特定波長域の赤外光を吸収しない赤外光非吸収インキからなり、このインキをサーマル層１１ｂの上から２次元コード１３のサイズに合わせて被覆ベタ印刷することにより構成されている。
【００２１】
ここで、特定波長域の赤外光を吸収しない赤外光非吸収インキとしては、例えば、カラーインキを混色した混色黒インキを用いることができる。
【００２２】
さて、２次元コード１３をサーマル印字する際には、サーマルヘッドで熱擦過するため、隠蔽ベタ印刷層１４の表面状態が熱収縮等により変形し、隠蔽ベタ印刷層１４を構成する赤外光非吸収インキが素抜け状態になることがある。このような熱擦過の影響を受けると、隠蔽ベタ印刷層１４の上から目視で２次元コード１３のシンボル形状を認識することができるため、２次元コード１３を複製されてしまうことがある。
【００２３】
そこで本実施例では、隠蔽ベタ印刷層１４の上に、２次元コード１３の視覚的認識を困難にする第１のカモフラージュ印刷層１５および第２のカモフラージュ印刷層１６を更に設ける。
【００２４】
第１のカモフラージュ印刷層１５は、隠蔽ベタ印刷層１４の印刷に用いる特定波長域の赤外光を吸収しない赤外光非吸収インキ、例えば、混色黒インキを用い、ランダムな形状の配列、または所定形状の繰り返し配列、または２次元コード１３とは異なる内容の２次元コードの配列が印刷される。
【００２５】
また、第２のカモフラージュ印刷層１６は、透明マット系色材であるマットインキにより、第１のカモフラージュ印刷層１５の印刷のそれぞれの間隙を埋める印刷、すなわち毛抜き合わせを行うことにより、第１のカモフラージュ印刷層１５の表面が凹凸状態（マット状態）になるようにして形成される。このようなマットインキの一例として、ＵＶマットＯＰニス（Ｔ＆Ｋ ＴＯＫＡ製、商品名）を使用することができる。
【００２６】
なお、上記実施例においては、隠蔽ベタ印刷層１４の存在により、この２次元コード付き帳票１０から２次元コード１３を読み取るリーダ側の読み取り性能を向上させることができる。
【００２７】
上記構成において、隠蔽ベタ印刷層１４がない場合には、リーダ側は用紙１１ａの白色と、サーマル層１１ｂの赤外発色と第１のカモフラージュ印刷層１５の混色黒色の３値化が必要となるが、隠蔽ベタ印刷層１４が存在すると、リーダ側は、サーマル層１１ｂの赤外発色と隠蔽ベタ印刷層１４および第１のカモフラージュ印刷層１５の混色黒色の２値化を行えばよい。すなわち、隠蔽ベタ印刷層１４を設けることにより、リーダ側では、２次元コード１３を読み取る場合の背景色が混色黒色に統一されることになり、これにより、帳票１０から２次元コード１３を読み取るリーダ側の読み取り性能を向上させることができる。
【００２８】
また、２次元コード１３を形成する赤外発色体（ロイコ染料）は、耐光性がよくないが、隠蔽ベタ印刷層１４を設けることにより、２次元コード１３を形成する赤外発色体の耐光性が向上し、発色部の濃度のばらつきを抑えることができる。
【００２９】
更に、第２のカモフラージュ印刷層１６を毛抜き合わせに用いることにより、カモフラージュ印刷層の積層数の差がなくなるため２次元コード１３を形成するための発色濃度に差異がなくなり、発色濃度を安定させることができる。また、発色に必要な印字エネルギーを軽減することができ、印字かすれ、抜けの防止ができるとともに、印字ヘッドの寿命が短くなるのを防止することができる。
【００３０】
図３は、図１および図２に示した実施例１の２次元コード付き帳票の変形例を示す断面図である。この変形例においては、第２のカモフラージュ印刷層１６が、毛抜き合わせを行うように印刷されるのではなく、第１のカモフラージュ印刷層１５と同様に、ランダムな形状の配列、または所定形状の繰り返し配列、または２次元コード１３とは異なる内容の２次元コードの配列の印刷を行うことにより形成される。この場合も、第２のカモフラージュ印刷層１６は、第１のカモフラージュ印刷層１５の上に、透明マット系色材であるマットインキにより印刷することにより形成され、これにより、第１のカモフラージュ印刷層１５の表面が凹凸状態（マット状態）になり、２次元コード１３の視覚的認識を困難にすることができる。
【００３１】
図４は、図１および図２に示した実施例１の２次元コード付き帳票の他の変形例を示す断面図である。
【００３２】
用紙１１ａに薄紙（例．紙厚８０μｍ程度）を使用した場合、サーマル紙１１を光にかざすことにより、隠蔽ベタ印刷層１４で被覆された２次元コード１３が用紙１１ａの裏側から透けて見えてしまうことも考えられる。
【００３３】
これを回避するために、この変形例においては、サーマル紙１１の非印字面の、２次元コード印字欄１２と対応する位置に透過防止層１７を設ける。この透過防止層１７は、光を遮る遮光性インキを用紙１１ａの裏面にベタ塗りで全面印刷するか、あるいは地紋等で部分印刷することにより構成することができる。
【００３４】
本実施例の２次元コード付き帳票１０は以上のように構成されており、以下その作用について説明する。この２次元コード付き帳票１０によれば、２次元コード印字欄１２に印字される２次元コード１３を外部から視認できないように隠蔽するための隠蔽ベタ印刷層１４が設けられているので、この隠蔽ベタ印刷層１４の存在により、この帳票１０をコピー機で複写しても、２次元コード１３を再現することはできない。
【００３５】
また、隠蔽ベタ印刷層１４の上に、２次元コード１３の視覚的認識を困難にする第１のカモフラージュ印刷層１５および第２のカモフラージュ印刷層１６を更に設けているので、この第１のカモフラージュ印刷層１５および第２のカモフラージュ印刷層１６の存在により、目視で帳票１０上の２次元コード１３を認識することはできなくなり、これにより、この２次元コード付き帳票１０の複製は困難になる。
【００３６】
また、隠蔽ベタ印刷層１４および第１のカモフラージュ印刷層１５は、２次元コード１３を読み取る特定の波長の光を吸収しない色材で印刷され、また、第２のカモフラージュ印刷層１６は、透明マット系色材で印刷されるので、隠蔽ベタ印刷層１４、第１カモフラージュ印刷層１５、第２のカモフラージュ印刷層１６が存在しても、帳票１０からの２次元コード１３の読み取り性能が劣化するという事態は生じない。
【００３７】
また、用紙１１ａの裏面に設けられた透過防止層１７によって、光の透過が遮られるようになっているので、この帳票１０を光にかざしても２次元コード１３が裏側から透けて見えることがなく、不正な読み取りを防ぐこともできる。
【００３８】
なお、実施例１に示した２次元コード付き帳票１０においては、２次元コード１３をサーマル紙１１のサーマル層１１ｂの赤外発色により形成したが、この構成に代えて、例えば上質紙、再生紙、コート紙等の紙類や、ポリエステルフィルム、ポリプロピレンフィルム等の樹脂フィルムからなる基材の上に、ＩＲインキ（赤外線乾燥型インキ）、炭素系の黒色顔料を含有したインキ、あるいは赤外光吸収剤を補助剤として添加したインキ等の、赤外光吸収インキで２次元コード１３を印刷するようにしてもよい。
【００３９】
また、隠蔽ベタ印刷層１４は、混色黒インキに代えて、赤外光吸収特性を有しない黒色インキにマット剤（粒子径の大きい無色顔料）を添加した混合インキを使用して形成してもよい。
【実施例２】
【００４０】
図５〜７に本発明に係る２次元コード付き帳票の実施例２を示す。図２に示す２次元コード付き帳票２０は、実施例１の第２のカモフラージュ印刷層１６をサーマル紙１１の全面に形成した点が実施例１の２次元コード付き帳票１０と異なる。その他の構成は、図１に示した２次元コード付き帳票１０と同様である。
【００４１】
すなわち、この実施例２の２次元コード付き帳票２０は、図５および図６に示すように、基材であるサーマル紙２１の印字面の２次元コード印字欄２２に印字する２次元コード２３の上に、この２次元コード２３を隠蔽する隠蔽ベタ印刷層２４を設け、更に、この隠蔽ベタ印刷層２４の上に、２次元コード１３の視覚的認識を困難にする第１のカモフラージュ印刷層２５および第２のカモフラージュ印刷層２６を設ける。ここで、第２のカモフラージュ印刷層２６は、第１のカモフラージュ印刷層２５を覆うとともに、サーマル紙２１の全面を覆って形成されている。
【００４２】
本実施例においても、２次元コードをサーマルプリンタで印字できるように、赤外発色するサーマル紙２１を使用している。すなわち、図６に示すように、このサーマル紙２１は、用紙２１ａの上にサーマル層２１ｂを積層一体化したものである。
【００４３】
サーマル紙２１の中央には２次元コード印字欄２２が設けられており、この２次元コード印字欄２２には、所定の情報を光学読取装置で読み取るための２次元コード２３が印字される。本実施例では、２次元コード２３の一例としてモデル１のＱＲコードを採用し、このＱＲコードのシンボルのうちファインダパターン、タイミングパターン及びデータセルが、サーマル層２１ｂを加熱することでサーマル印字される。ＱＲコードのデータセルには、各種のデータがコード変換されて記録される。
【００４４】
２次元コード印字欄２２には、印字される２次元コード２３を外部から視認できないように隠蔽するために、隠蔽ベタ印刷層２４が設けられている。隠蔽ベタ印刷層２４は、特定波長域の赤外光を吸収しない赤外光非吸収インキからなり、このインキをサーマル層２１ｂの上から２次元コード２３のサイズに合わせて被覆ベタ印刷することにより構成されている。
【００４５】
ここで、特定波長域の赤外光を吸収しない赤外光非吸収インキとしては、例えば、カラーインキを混色した混色黒インキを用いることができる。
【００４６】
また、隠蔽ベタ印刷層２４の上に、２次元コード２３の視覚的認識を困難にする第１のカモフラージュ印刷層２５および第２のカモフラージュ印刷層２６を更に設ける。
【００４７】
第１のカモフラージュ印刷層２５は、隠蔽ベタ印刷層２４の印刷に用いる特定波長域の赤外光を吸収しない赤外光非吸収インキ、例えば、混色黒インキを用い、ランダムな形状の配列、または所定形状の繰り返し配列、または２次元コード２３とは異なる内容の２次元コードの配列が印刷される。
【００４８】
また、第２のカモフラージュ印刷層２６は、透明マット系色材であるマットインキにより、第１のカモフラージュ印刷層２５の印刷のそれぞれの間隙を埋める印刷、すなわち毛抜き合わせを行うことにより、第１のカモフラージュ印刷層２５の表面が凹凸状態（マット状態）になるようにして形成される。このようなマットインキの一例として、ＵＶマットＯＰニス（Ｔ＆Ｋ ＴＯＫＡ製、商品名）を使用することができる。
【００４９】
ここで、第２のカモフラージュ印刷層２６は、第１のカモフラージュ印刷層２５を覆うとともに、サーマル紙２１の全面を覆って形成される。
【００５０】
なお、図５および図６に示す２次元コード付き帳票２０においては、第２のカモフラージュ印刷層２６が毛抜き合わせを行うように印刷されたが、この第２のカモフラージュ印刷層２６を、第１のカモフラージュ印刷層２５と同様に、ランダムな形状の配列、または所定形状の繰り返し配列、または２次元コード１３とは異なる内容の２次元コードの配列の印刷を行うことにより形成してもよい。この場合も、第２のカモフラージュ印刷層２６は、第１のカモフラージュ印刷層２５の上に、透明マット系色材であるマットインキにより印刷することにより形成されるので、第１のカモフラージュ印刷層２５の表面が凹凸状態（マット状態）になり、２次元コード２３の視覚的認識を困難にすることができる。
【００５１】
図７は、図５および図６に示した実施例２の２次元コード付き帳票の変形例を示す断面図である。
【００５２】
図７に示す変形例においては、用紙２１ａに薄紙（例．紙厚８０μｍ程度）を使用した場合、サーマル紙２１を光にかざすことにより、隠蔽ベタ印刷層２４で被覆された２次元コード２３が用紙１１ａの裏側から透けて見えてしまうことを回避するために、サーマル紙２１の非印字面の、２次元コードコード印字欄２２と対応する位置に透過防止層２７を設ける。この透過防止層２７は、光を遮る遮光性インキを用紙２１ａの裏面にベタ塗りで全面印刷するか、あるいは地紋等で部分印刷することにより構成することができる。
【００５３】
本実施例の２次元コード付き帳票２０は以上のように構成されているので、実施例１の２次元コード付き帳票１０と同様の作用、効果を有する。
【００５４】
すなわち、本実施例の２次元コード付き帳票２０においては、２次元コード印字欄２２に印字される２次元コード２３を外部から視認できないように隠蔽するための隠蔽ベタ印刷層２４が設けられているので、この隠蔽ベタ印刷層２４の存在により、この帳票２０をコピー機で複写しても、２次元バーコード２３を再現することはできない。
【００５５】
また、隠蔽ベタ印刷層２４の上に、２次元コード２３の視覚的認識を困難にする第１のカモフラージュ印刷層２５および第２のカモフラージュ印刷層２６を更に設けているので、この第１のカモフラージュ印刷層２５および第２のカモフラージュ印刷層２６の存在により、目視で帳票２０上の２次元コード２３を認識することはできなくなり、これにより、この２次元コード付き帳票２０の複製は困難になる。
【００５６】
また、隠蔽ベタ印刷層２４および第１のカモフラージュ印刷層２５は、２次元コード２３を読み取る特定の波長の光を吸収しない色材で印刷され、また、第２のカモフラージュ印刷層２６は、透明マット系色材で印刷されるので、隠蔽ベタ印刷層２４、第１カモフラージュ印刷層２５、第２のカモフラージュ印刷層２６が存在しても、帳票２０からの２次元コード２３の読み取り性能は劣化しない。
【００５７】
また、用紙２１ａの裏面に設けられた透過防止層２７によって、光の透過が遮られるようになっている。このため、この帳票２０を光にかざしても２次元コード２３が裏側から透けて見えることがなく、不正な読み取りを防ぐこともできる。
【００５８】
なお、実施例２に示した２次元コード付き帳票２０においては、２次元コード２３をサーマル紙２１のサーマル層２１ｂの赤外発色により形成したが、この構成に代えて、例えば上質紙、再生紙、コート紙等の紙類や、ポリエステルフィルム、ポリプロピレンフィルム等の樹脂フィルムからなる基材の上に、ＩＲインキ（赤外線乾燥型インキ）、炭素系の黒色顔料を含有したインキ、あるいは赤外光吸収剤を補助剤として添加したインキ等の、赤外光吸収インキで２次元コード２３を印刷するようにしてもよい。
【００５９】
また、隠蔽ベタ印刷層２４は、混色黒インキに代えて、赤外光吸収特性を有しない黒色インキにマット剤（粒子径の大きい無色顔料）を添加した混合インキを使用して形成してもよい。
【００６０】
なお、本発明は上述の実施形態に限定されるものではなく、本発明の技術的思想の範囲内であれば、当業者の通常の創作能力によって多くの変形が可能である。
【符号の説明】
【００６１】
１０…２次元コード付き帳票
１１…サーマル紙（基剤）
１１ａ…用紙
１１ｂ…サーマル層
１２…２次元コード印字欄
１３…２次元コード
１４…隠蔽ベタ印刷層
１５…第１のカモフラージュ印刷層
１６…第２のカモフラージュ印刷層
１７…透過防止層
２０…２次元コード付き帳票
２１…サーマル紙（基剤）
２１ａ…用紙
２１ｂ…サーマル層
２２…２次元コード印字欄
２３…２次元コード
２４…隠蔽ベタ印刷層
２５…第１のカモフラージュ印刷層
２６…第２のカモフラージュ印刷層
２７…透過防止層
【図１】
0005754848.tif 000002
【図２】
0005754848.tif 000003
【図３】
0005754848.tif 000004
【図４】
0005754848.tif 000005
【図５】
0005754848.tif 000006
【図６】
0005754848.tif 000007
【図７】
0005754848.tif 000008